(57)【要約】【課題】手摺りに求められる二つの機能、すなわち、体を引き付ける機能と、体を支持する機能とを有効に発揮することができる手摺り構造を提供する。【解決手段】外周面の１／３〜１／２の部分が硬質材料によって形成された硬質部２と、残りの２／３〜１／２の外周面が可撓変形可能な軟質材料によって形成された軟質部３とを有する長尺に形成された手摺り本体１０を具備し、硬質部２の外周の中心と軟質部３の外周の中心とを結ぶ線ａが、硬質部２が上、軟質部３が下の状態で垂直、またはこの垂直の状態から人が立つ側に４５度傾いた状態の範囲内となるように固定されてなる手摺り構造である。【選択図】  図３
2010090670.tif 000002
【特許請求の範囲】
【請求項１】
外周面の１／３〜１／２の部分が硬質材料によって形成された硬質部と、残りの２／３〜１／２の外周面が可撓変形可能な軟質材料によって形成された軟質部とを有する長尺に形成された手摺り本体を具備し、
硬質部の外周の中心と軟質部の外周の中心とを結ぶ線が、硬質部が上、軟質部が下の状態で垂直、またはこの垂直の状態から人が立つ側に４５度傾いた状態の範囲内となるように固定されてなることを特徴とする手摺り構造。
【発明の詳細な説明】
【技術分野】
【０００１】
本発明は、住宅建物内に取り付けられる手摺り構造に関するものである。
【背景技術】
【０００２】
一般に住宅建物内の階段、廊下、風呂、トイレなどには、高齢者、身障者などに配慮して手摺りが設けられている。
【０００３】
従来より、このような手摺には、体を引き付ける機能と体を支える機能との２つの機能が要求される。そこで、これらの機能を考慮した手摺りとして、例えば、波状に形成され、昇るときには垂直部分を取っ手のように使って体を引き付け、降りるときは水平部を杖のように使って体を支えるように工夫したものが提案されている( 特許文献１参照) 。
【特許文献１】特開２００２−２１７８４号公報
【発明の開示】
【発明が解決しようとする課題】
【０００４】
しかし、特許文献１に開示されているように、垂直部と水平部とを有する手摺りの場合は、体を引き付ける必要がある場所と体を支える必要がある場所とが完全に合致するように施工しないと想定する性能を発揮しない。すなわち、階段などに設置する場合は、階段の踏上、踏面の寸法が合っていないと、握り難くなる。
【０００５】
また、咄嗟の転倒時等に垂直部と水平部との角を掴むと、握り難くなってしまう。
【０００６】
さらに、一定の身長の範囲内でなければ、握ったときに手が自然な形にはならない。
【０００７】
つまり、上記特許文献１のように形状に特徴を持たせた手摺りの場合、体を引き付ける機能と、体を支える機能とを双方ともに満たすことはできない。
【０００８】
通常、人体は、硬いものに適用したときは弛緩（リラックス）し、柔らかいものに適用したときは緊張します。具体的に説明すると、硬い床の上に立った場合は難なく立つことができますが、ベットやソファの上、砂浜などの柔らかい面の上に立った場合、バランスをとるのに力んでしまい硬い床の上に立つ場合よりも疲労してしまいます。つまり、硬い床の上に立った場合は、胴体を支える脚が充分にリラックスしているので、脚と胴体とをつなぐ股関節部分に力を入れやすくなり、体を支持し易くなります。股関節は、二次元的に体をコントロールする足首関節や一方向にしか体をコントロールできない膝関節とは異なり、球関節で形成されているため、三次元的に体をコントロールすることができるので、この股関節部分の力を入れやすくすることは体を支持する上で重要です。これに対して柔らかい面の上に立った場合は、脚全体、すなわち足首関節や膝関節などに優先的に力が入ってしまうので股関節部分に力を入れ難くなり、足首関節や膝関節で体を支持しようとすることになり、疲労します。
【０００９】
このことは、手摺りを使用する場合も同じです。
【００１０】
例えば、硬い手摺りを握って体を支える場合、腕全体がリラックスするので、腕と胴体とをつなぐ球関節である肩関節部分に力が入れやすくなり、体を支持し易くなります。しかし、この手摺りが柔らかいものである場合、腕全体、特に手首や肘に力が入ってしまうので、肩関節部分に力を入れ難くなり、体を支持し難くなります。
【００１１】
また、硬い手摺りを握って体を引き付ける場合は、柔らかい手摺りを握って体を引き付ける場合よりも体がリラックスするので、柔らかい手摺りを握る場合程しっかりと力を入れて体を引き付けることが難しくなります。
【００１２】
このように、手摺りは、二つの機能、すなわち、体を引き付ける機能と、体を支える機能とを双方ともに満たすことを考えた場合、体を引き付ける際には柔らかく、体を支える際には硬いことが理想的であるが、このような面からアプローチをした手摺りは今まで存在せず、単に形状を工夫したものに止まっていた。
【００１３】
本発明は係る実情に鑑みてなされたものであって、体を引き付けたり体を支えたりし易く考慮された手摺り構造を提供することを目的としている。
【課題を解決するための手段】
【００１４】
上記課題を解決するための本発明の手摺り構造は、外周面の１／３〜１／２の部分が硬質材料によって形成された硬質部と、残りの２／３〜１／２の外周面が可撓変形可能な軟質材料によって形成された軟質部とを有する長尺に形成された手摺り本体を具備し、硬質部の外周の中心と軟質部の外周の中心とを結ぶ線が、硬質部が上、軟質部が下の状態で垂直、またはこの垂直の状態から人が立つ側に４５度傾いた状態の範囲内となるように固定されてなるものである。
【発明の効果】
【００１５】
以上述べたように、本発明によると、体を引き付ける際には軟質部を握って手に馴染む形状に適度に可撓変形させてしっかりと握ることができ、体を支える際には硬質部に体重を預けて容易に体を支持することができることとなり、体を引き付けたり、体を支えたりする手摺りの機能を有効に発揮することができる。
【発明を実施するための最良の形態】
【００１６】
以下、本発明の実施の形態を図面を参照して説明する。
【００１７】
図１は手摺り１の断面図を示し、図２は同手摺り１の施工状態の一例を示している。
【００１８】
すなわち、この手摺り構造は、硬質部２と軟質部３とを有する長尺の手摺り本体１０を具備して構成されている。
【００１９】
手摺り本体１０は長尺に形成された木材、金属、樹脂などの硬質材料からなり、直径３０ｍｍ±５０％のものが使用される。本実施の形態において、手摺り本体１０は中身が詰まった棒状に形成されているが、充分な強度を確保できるのであれば、中身が抜けた管状のものであってもよい。
【００２０】
硬質部２は、手摺り１の外周面のうちの１／３、すなわち、中心半径１２０度の範囲に設けられる。この硬質部２は、手摺り本体１０の拡径方向に、手摺り本体１０の直径の２０〜５０％の範囲で突出するように形成されている。この硬質部２は、手摺り本体１０と同様の硬質材料で構成されている。硬質部２の素材は、手摺り本体１０と異なっていてもよいが、同素材であることが好ましい。また、手摺り本体１０と硬質部２とを一体化するように形成したものであってもよい。
【００２１】
軟質部３は、上記手摺り本体１０の外周面のうち、硬質部２が設けられていない、手摺り本体１０の中心半径２４０度の範囲に設けられる。この硬質部２が設けられていない手摺り本体１０の部分に設けられた状態で、軟質部３は、硬質部２と外径が同じとなるように形成されている。この軟質部３の素材としては、可撓変形可能なシリコンゴム、発泡樹脂材などが用いられる。この軟質部３は、硬質部２や手摺り本体１０に接着剤などで貼り付けるものであってもよいし、手摺り本体１０や硬質部２に形成した凹部または凸部と受け挿し接続するようにしたものであってもよい。
【００２２】
硬質部２と軟質部３との外周面には、被覆材４が設けられる。この被覆材４は、伸縮性を有する樹脂、ゴムなどの素材で形成されたものが用いられる。
【００２３】
このようにして手摺り１は、外径２８ｍｍ〜４５ｍｍ、さらに好ましくは２８ｍｍ〜３５ｍｍの範囲で仕上られる。このようにして構成された手摺り１は、固定金具５に形成された環状の手摺り受け５１に挿通され、この手摺り受け５１の外側から手摺り１の硬質部２または手摺り本体１０にビス固定（図示省略）することによって階段６に施工される。
【００２４】
なお、施工場所としては、階段６に限定されるものではなく、廊下、トイレ、浴室など、通常の手摺り１が設けられる場所であれば施工することができる。
【００２５】
また、手摺り１を施工する際、体を引き付ける際には軟質部３を可撓変形させて握り易くでき、体を支持する際には硬質部２に体重をかけやすくするために、図３のように施工される。すなわち、手摺り１は、硬質部２の外周の中心と軟質部３の外周の中心とを結ぶ線ａが、硬質部２が上、軟質部３が下の状態で垂直、またはこの垂直の状態から人が立つ側に４５度傾いた状態の範囲内となるように固定される。
【００２６】
この手摺り構造によると、体を引き付ける際には、体と遠い側にある手摺り１の部分に力を加えて体を手摺り１側に引き付けることとなるが、この体と遠い側にある手摺り１の部分は、軟質部３によって形成されるので、この軟質部３を握って手に馴染む形状に適度に可撓変形させてしっかりと握ることができる。しかも、軟質部３を握ることにより、硬質部２を握る場合よりも腕全体に力を入れやすくなり、しっかりと体を手摺り１に引き付けることが可能となる。
【００２７】
また、体を支える際には、体と近い側にある手摺り１の部分に体重を預けることになるが、この体と近い側にある手摺り１の部分は、硬質部２によって形成されるので、この硬質部に体重を預けて容易に体を支持することができることとなる。すなわち、硬質部２で体を支えることにより、腕全体がリラックスするので、腕と胴体とをつなぐ肩関節部分に力を入れやすくなり、体を支持し易くなる。
【００２８】
このように、本発明の手摺り構造は、手摺りに求められる二つの機能、すなわち、体を引き付ける機能と、体を支持する機能とを有効に発揮することができる。
【００２９】
なお、本実施の形態において、手摺り１は、外周面のうちの１／３、すなわち、中心半径１２０度の範囲に硬質部２が設けられ、残りの２／３の範囲が軟質部３となされているが、図３（ｃ）および（ｄ）に示すように、外周面のうちの１／２、すなわち、中心半径１８０度の範囲に硬質部２が設けられ、残りの半分が軟質部３となされたものであってもよい。また、この両者間、すなわち、手摺り１の外周面の１／３〜１／２の範囲が硬質部２で形成され、２／３〜１／２の範囲が軟質部３で形成されていれば、特に範囲を限定されるものではない。
【００３０】
また、本実施の形態において、手摺り１は、硬質部２と軟質部３との境界部分の角が直角となっており、経時的使用で軟質部３が劣化してきた場合、手摺り１を握った際に硬質部２の角が手に当たって痛くなることが懸念される。したがって、この硬質部２は、図４に示すように、外周面の１／３〜１／２の部分が硬質部２で形成されていれば、軟質部３との境界部分に面取り加工２１が施されていてもよい。この場合、手摺り本体１０と硬質部２とは一体化するものを開示しているが、別々に構成されたものであってもよい。ただし、本実施の形態のように手摺り本体１０と硬質部２とを一体に構成したものの方が、滑らかな面取り加工２１の面を形成することができ、しかも一体化することによって効率よく低コストで形成することができる。
【産業上の利用可能性】
【００３１】
本発明に係る手摺り構造は、住宅建物内に設けられる各種の手摺りに使用される。
【図面の簡単な説明】
【００３２】
【図１】本発明に係る手摺り構造に用いられる手摺りの断面図である。
【図２】本発明に係る手摺り構造を階段に用いた場合を示す概略図である。
【図３】（ａ）ないし（ｄ）は各種実施の形態を示す手摺り構造の断面図である。
【図４】（ａ）および（ｂ）は手摺りの他の実施の形態を示す断面図である。
【符号の説明】
【００３３】
１  手摺り
１０  手摺り本体
２  硬質部
３  軟質部
ａ  線
【図１】
2010090670.tif 000003
【図２】
2010090670.tif 000004
【図３】
2010090670.tif 000005
【図４】
2010090670.tif 000006